【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
一つの単一層中にプラスチック成形コンパウンドから作られ、透明または半透明のマトリックスを含有する可視部分を有し、かつ、該可視部分の表面下部に設けられた一以上のランプエレメントを備える光源を有するプラスチック部材であって、該可視部分が基本的に日光に関して不透明として作用し、かつ、該ランプエレメントによって放射される光に関して透明または半透明として作成し、該可視部分は混合作用顔料を含有し、光源が作用していない時は基本的に該プラスチック部材が据え付けられている物体の残りの壁体の外観の印象に一致し、かつ、光源が作用している時は基本的に光源のアクティビティによって決定される外観印象を特徴としており、該ランプエレメントが発光ダイオード、有機発光ダイオード、および光ファイバー光システムを包含する群から選択され、かつ少なくとも部分的に可視部分のプラスチック成形コンパウンドに埋設されている、プラスチック部材。
【請求項２】
該ランプエレメントが発光ダイオードである、請求項１記載のプラスチック部材。
【請求項３】
該可視部分が射出成形または射出成形の特別な方法を経て製造され、可視表面並びに、それから離れている少なくとも一つの射出ポイントを有する射出表面を有することを特徴とする請求項１記載のプラスチック部材。
【請求項４】
該可視部分が更に、作用顔料をもたない透明または半透明の表面層を可視表面に有することを特徴とする、請求項１記載のプラスチック部材。
【請求項５】
該可視部分が、その背面部にランプエレメントを受け入れるために供与されるくぼみを備えることを特徴とする、請求項１記載のプラスチック部材。
【請求項６】
該プラスチック部材が、可視部分と組成および物理的および化学的プラスチック特性が異なってもよい更なるベース部分を備え、該プラスチック部材のベース部分が、あらかじめ凝固した可視部分の射出面の少なくとも一つの部分に射出成形されることを特徴とする、請求項１記載のプラスチック部材。
【請求項７】
該ベース部分のプラスチック成形コンパウンドが、可視部分の成形コンパウンドに含まれるポリマーと同一であるポリマーを含有することを特徴とする、請求項６記載のプラスチック部材。
【請求項８】
該ランプエレメントが、可視部分のプラスチック成形コンパウンドに少なくとも部分的に実質的に接着され、かつ／またははめ込まれた形態であることを特徴とする、請求項１記載のプラスチック部材。
【請求項９】
該プラスチック部材が、同一平面に可視面を有する物体の壁体に据え付けられることを特徴とする、請求項３記載のプラスチック部材。
【請求項１０】
該光源が信号光源として作用し、この信号が点滅光並びに静止画または動画のディスプレイを包含する群から選択されることを特徴とする、請求項１記載のプラスチック部材。
【請求項１１】
該光源がLEDモジュールに設けられ、コンピューターまたは電子制御ユニットによって活性化する発光ダイオードを備えることを特徴とする、請求項１記載のプラスチック部材。
【請求項１２】
該可視部分用プラスチック成形コンパウンドが、ポリアミド、環状オレフィンコポリマー、ポリメチルメタクリレート、ポリメチルメタクリルイミド、ポリエステル、ポリカーボネート並びにポリカーボネートコポリマーおよびそれらのブレンド、ポリスチレンおよびアクリロニトリルブタジエンスチレンポリマー、スチレンアクリロニトリル、アクリロニトリルスチレンおよび他のスチレンコポリマーおよびそれらのブレンド、セルロースエステル、ポリイミドおよびポリエーテルイミド、ポリスルホンおよびポリエーテルスルホン、ポリフェニレン、ポリアクリレート、およびこれらのポリマーの混合物またはブレンドを包含する脂肪族、脂環式、および／または芳香族モノマーを包含するポリマーの群から選択される少なくとも一つの透明のポリマーを含有することを特徴とする、請求項１記載のプラスチック部材。
【請求項１３】
該可視部分用プラスチック成形コンパウンドが、以下の群：
（・6〜14のC原子を有する分枝または非分枝脂肪族ジアミン
・6〜22のC原子を有する脂環式ジアミン
・8〜22のC原子を有する芳香脂肪族ジアミン
・6〜22のC原子を有する分枝または非分枝脂肪族ジカルボン酸
・6〜22のC原子を有する脂環式ジカルボン酸
・8〜22のC原子を有する芳香脂肪族ジカルボン酸
・8〜22のC原子を有する芳香族ジカルボン酸
・44以下のC原子を有する二量体化脂肪酸
・6〜12のC原子を有するラクタムおよび／または対応するω-アミノカルボン酸）
から選択されるモノマーから製造されるポリアミドまたはコポリアミドおよび／またはそれらの混合物またはブレンドを包含するポリマーの群から選択される少なくとも一つの透明なポリマーを含有することを特徴とする、請求項１記載のプラスチック部材。
【請求項１４】
該可視部分用プラスチック成形コンパウンドが、PA MACM 12、PA PACM 12、PA 12/MACMI、およびPA MACM/PACM 12並びにそれらの混合物を包含するポリマーの群から選択される少なくとも一つの透明なポリマーを含有することを特徴とする、請求項１記載のプラスチック部材。
【請求項１５】
該可視部分用プラスチック成形コンパウンドが、紫外線安定剤、紫外線吸収剤、およびそれらの混合物の群から選択される少なくとも一つの添加剤を含有することを特徴とする、請求項１２記載のプラスチック部材。
【請求項１６】
該作用顔料が、金属性顔料−特に無色または着色アルミニウムグリッターまたはアルミニウムブロンズまたはゴールドブロンズ顔料−、干渉顔料、真珠光沢顔料、ミネラルマイカ、およびそれらの混合物を包含する群から選択されることを特徴とする、請求項１記載のプラスチック部材。
【請求項１７】
該ベース部分用プラスチック成形コンパウンドが、ポリアミド、ポリエステル、ポリカーボネート、ポリオレフィン、並びに熱可塑性エラストマー、スチレンブロックコポリマー、シリコーン、アクリロニトリルブタジエンスチレンポリマー、PVC、並びにそれらのブレンドまたはリサイクル製品を包含するポリマーの群から選択される、射出成形され得る少なくとも一つのポリマーを含有することを特徴とする、請求項６記載のプラスチック部材。
【請求項１８】
乗り物の装置、特に乗り物の機能部品、パネル部品、設計部品、または機能設計部品、とりわけ自動車構造への請求項１〜１７の一つに記載のプラスチック部材の使用。
【請求項１９】
キャビンの装置、ハウジング、および電気装置、電子装置、通信機器、セキュリティー技術装置、臨床検査装置、家庭用機器またはボディケア装置のハウジング部品および／または他の部品への、請求項１〜１７の一つに記載のプラスチック部材の使用。
【請求項２０】
スポーツデバイスおよび／またはレクリエーションデバイス、ファッションアクセサリー、玩具、および／またはそれらの部品の製造への、請求項１〜１７の一つに記載のプラスチック部材の使用。
【請求項２１】
建物、道路、または乗り物の設計部品、機能部品、機能設計部品、および／またはパネル部品の製造への、請求項１〜１７の一つに記載のプラスチック部材の使用。
【請求項２２】
家具または梱包部品の製造への、請求項１〜１７の一つに記載のプラスチック部材の使用。